(57)【要約】      （修正有）【課題】ハンドル（把手部）を持って函体を下向きに引出し、物を入れた後、上向きに押し上げるとそのまま天井となるようにした天井収納具を提供する。【解決手段】天井収納具１は、仕切り板５を介して複数室に区画された角筒を居室２の天井下の空間に設置し、該角筒内に区画された各室Ａ、Ｂに、少なくとも正面側が開放されている函体６を収納し、前記各室内に前記函体６の最大下降位置を維持する吊具７を設けるとともに、前記函体６の収納位置を固定するラッチ手段を設け、該ラッチの解除ハンドルを前記函体の下面に設けたもので、居室の天井下の空間に手動で引下げ及び押上げできる収納スペースを設けた。【選択図】図１
2012135391.tif 000002
【特許請求の範囲】
【請求項１】
仕切り板を介して複数室に区画された角筒を、居室の天井下の空間に設置し、該角筒内の各室に、少なくとも正面側が開放され、吊具により最大下降位置が維持された函体を収納し、該函体の収納位置を確定するラッチ手段を設け、該ラッチ手段を解除するハンドルを前記函体の下面板外面に設けたことを特徴とする天井収納具。
【請求項２】
前記吊具が、前記室の上部に備えた横軸に回転可能に嵌合した中空軸に、函体を押し上げた時に巻き上げ方向にバネ付勢され、函体を下降させた時に前記バネに抗して巻き戻されるようになっていることを特徴とする請求項１に記載の天井収納具。
【請求項３】
前記角筒が、前記居室の天井下の空間全域又は一部に設置されていることを特徴とする請求項１又は２に記載の天井収納具。
【発明の詳細な説明】
【技術分野】
【０００１】
本発明は、居室の天井に設置した角筒内に設けた複数室に、物が入れられる函体を引出し可能に収納した天井収納具に関するものである。
【背景技術】
【０００２】
狭いマンション等の居室（居間、客間、玄関、トイレその他）の床空間を広く使用するために天井空間に物入れを作るものとして、特開２００７−３０９０６５号公報と特開平１０−２９９２４６号公報があった。前者は天井裏のスペースに、物入れ箱を動滑車の原理を利用して自動昇降装置により収めるものである。後者は、天井裏空間に収納物を棚板上に載置し、該棚板を天井面より下に連出された吊り下げ装置を設け、該吊り下げ装置により棚板を昇降させて収納物の出し入れを行うものである。両者とも物の収納が天井裏の空間を利用している点では居住空間を広く使用できる工夫がなされている。
【特許文献１】特開２００７−３０９０６５号公報
【特許文献２】特開平１０−２９９２４６号公報
【発明の開示】
【発明が解決しようとする課題】
【０００３】
しかしながら、前者では物入れ箱を動滑車の原理を利用して自動昇降装置により行う構造になっているし、後者では収納物を載せる棚板を天井面とほぼ平行に昇降させるため吊り下げ装置が使用されている。これら自動昇降装置や吊り下げ装置は、大がかりであったばかりでなく、その設置のために多くの費用と手間が掛かるという問題があった。
【０００４】
本発明は、上記の問題のないもので、その目的とするところは、ハンドルを持って函体を手動にて下向きに引出し、物を入れた後、手動にて上向き押し上げることができ、収納状態ではそのまま天井となるようにした天井収納具を提供する点にある。
【課題を解決するための手段】
【０００５】
上記目的を達成するため、本発明の天井収納具は、仕切り板を介して複数室に区画された角筒を、居室の天井下の空間に設置し、該角筒内の各室に、少なくとも正面側が開放され、吊具により最大下降位置が維持された函体を収納し、該函体の収納位置を確定するラッチ手段を設け、該ラッチ手段を解除するハンドルを前記函体の下面板外面に設けたことを特徴とし、居室の天井下の空間に、総て手動で引き下げ及び押し上げできる収納スペースを設けることができるように構成した。
【０００６】
また、請求項２に記載の天井収納具は、前記吊具が、前記室の上部に備えた横軸に回転可能に嵌合した中空軸に、函体を押し上げた時に巻き上げ方向にバネ付勢され、函体を下降させた時に前記バネに抗して巻き戻されるようになっていることを特徴とし、吊具が函体の引き出し時に巻きもどされ、収納時に巻き取られるように構成した。
【０００７】
さらに、請求項３に記載の天井収納具は、前記角筒が、前記居室の天井下の空間全域又は一部に設置されていることを特徴とし、居室の天井の全域を収納スペースにして天井収納力を高め、又、一部を収納スペースにして居室天井を広く使えるように構成した。
【発明の効果】
【０００８】
本発明によれば、居室の天井下の空間に、角筒を取付けることにより角筒内の各室に吊具を介して最大下降位置が維持された少なくとも正面側が開放された函体を有する天井収納具が簡単に得られる。しかも、函体はラッチ手段により収納状態が確定され、函体の下面板外面にラッチ手段を解除できるハンドルを設け、総て手動操作により引出し及び押上げ可能な天井収納スペースが形成できる。また、角筒内は仕切り板を介して２室以上設けたことから函体の１つひとつを小さく軽くして物が分散収納できる。さらに、函体は吊具により最大下降位置が維持されるので、手動操作により函体を引出したときに落下の恐れがない。さらにまた、函体の収納位置はラッチ手段により確定されるため、収納状態が安定するなどの各種の優れた効果を奏するものである。
【０００９】
また、請求項２の発明によれば、函体の最大下降位置を維持した吊具が、函体の引出時に巻き戻され、函体の収納時に巻き取られるようになっているので、函体落下を防止する安全を確保した吊具が、角筒内の各室の狭い空間で小さく巻かれて嵩張ることがないという優れた効果を奏するものである。
【００１０】
また、請求項３の発明によれば、前記角筒が、前記居室の天井下の空間全域又は一部に設置でき、したがって、居室の天井の全域を収納スペースとして利用でき、天井収納力を高められる一方、居室天井を広く使いたい者には、収納スペースを制限して天井下の空間を広く使えるという優れた効果を奏するものである。
【発明を実施するための最良の形態】
【００１１】
次に、本発明の実施の態様を添付図面に基づいて説明する。図１は本願天井収納具の取付状態を示す斜視図、図２は２つの室のうち、一方の函体を下げ、他方の函体の収納状態を示す拡大断面図、図３は吊具の取付状態の略示的拡大断面図、図４はラッチ及び解除ハンドルを示す函体の部分断面図、図５は函体の下面の一部切欠底面図、図６はラッチの解除ハンドルを示す側面断面図、図７は室の側壁に設置した雌レールと函体の側壁に設置した雄レールとを示す本願天井収納具の側面断面図、図８は雌雄レールの係合状態を示す部分正面図である。
【００１２】
本願天井収納具１は、居室（居間、客間、玄関、クローゼット、トイレ等）２の天井３下の空間に角筒４を設置する。該角筒４内は、仕切り板５を介して複数室（図では２室）Ａ、Ｂに区画されている。前記角筒４内に区画された各室Ａ、Ｂには、それぞれ物入れとして機能する函体６が収納されている。
【００１３】
前記函体６は、図２の如く、左右の側壁６ａ、６ａと、上面板６ｂと、下面板６ｃを有し、少なくとも正面側は開放されている。もちろん、居室の壁に近いときは背面側も開放することもある。また、図１の如く、角筒４を設置する場合には、右の側壁６ａ
をも開放し、２方向から物が入れられるようにすることも可能である。なお、前記角筒４又は函体６の材質は、必要な頑強さがあれば、木でも段ボールでもプラスチックでもよい。
【００１４】
前記各室Ａ、Ｂ内には、前記函体６の最大下降位置（図２の左側の函体参照）Ｃを維持するために吊具７を設けている。該吊具７は前記函体６の落下を防止するためのものである。したがって、前記吊具７はその上端を、図１の如く、角筒４の一部に固定し、下端を函体６の上面板６ｂに固定してもよいが、図２、図３の如く、前記各室Ａ、Ｂの上部に、水平に渡した横軸８に回転可能に嵌合した中空軸９に、函体６を押し上げた時（図２右側参照）に、巻き上げ方向にバネ１０により付勢され、函体６を下降させた時（図２左側参照）に、前記バネ１０に抗して巻き戻されるように構成してもよい。こうすることにより角筒４内の各室の狭い空間において小さく巻かれるから嵩張ることがない。なお、前記吊具７は、伸びのない強い繊維を使用したベルト状のものでも、紐状のものでもよい。
【００１５】
前記函体６が、前記各室Ａ、Ｂ内に収納された位置は、ラッチ手段１１により維持されるようになっている。該ラッチ手段１１は、図４に示す如く、ラッチ体１１ａと、これが嵌入する各室の側壁４ａに設けた嵌入穴１１ｂとからなる。
【００１６】
前記ラッチ体１１ａは、前記函体６の下面板６ｃの左右に設けた凹溝１２の奥に装填したバネ１３により先端側が突出する方向に付勢されている。該ラッチ体１１ａは、前記凹溝１２と、函体６の下面板６ｃの外面中央に設けた凹溝１４とを結ぶ連通孔１５を貫通したワイヤー１６の一端に結合され、該ワイヤー１６の他端は、前記凹溝１４にピン１７を中心に開閉するハンドル（把手部）１８に結合している。したがって、該ハンドル１８を、前記ピン１７を中心に起こすと、ラッチ体１１ａがワイヤー１６に引っ張られてバネ１３に抗して凹溝１２内に没入する。一方、ラッチ体１１ａは、前記ハンドル１８から手指を放すと、前記バネ１３の作用で前記凹溝１２から再び、突出することとなる。
【００１７】
また、前記ラッチ体１１ａは、その先端側の上面が下向き傾斜面になっているため、該傾斜面が、図４の位置から上昇し、側壁４ａの内側エッジ４ａ′に当接すると、滑ってバネ１３に抗して凹溝１２内に没入する方向に移動する。しかして、函体６が更に上昇してラッチ体１１ａが前記嵌入穴１１ｂに対峙した瞬間にバネ１３の作用で嵌入穴１１ｂに突入して函体６をその位置で固定するようになっている。
【００１８】
前記ハンドル１８は、前記バネ１３のバネ力でワイヤー１６により引っ張られ、前記凹溝１４内に設けたストッパー１４′に先端側が当接するようになっている。このハンドル１８の先端側には、前記凹溝１４内において手指が入る隙間１９が設けられているとよりよい。また、函体６を個人専用にするなどのため、図示していないが、鍵（ロック）がかかるようにしておくこともある。さらに、前記ラッチ体１１ａが摺接する側壁４ａの内側エッジ４ａ′及び嵌入穴１１ｂを金属板（図示せず）により補強しておくとよい。
【００１９】
前記函体６の上下摺動は、各室Ａ、Ｂの側壁４ａの内面に設置した雌レール２０と、函体６の側壁６ａに設置した雄レール２１との係合状態におい行なわれるので、函体６の上下動はグラ付くことなくスムーズである。もっとも、前記函体６が最大下降位置Ｃまで達すると、前記雌雄レール２０、２１は、図７の如く、離れてしまうが、雌雄レール２０、２１は、函体６の上昇により再び係合することとなる。この場合、その再係合をスムーズにするため、図８の如く、前記雌レール２０の下端部２０′をやや末広状に広げておくとよい。
【００２０】
本願天井収納具１は、居室２の天井３下の空間全域又は一部に設置される。たとえば、居室でもクローゼットやトイレのような狭い室内では天井全域を収納スペースとする場合もあり、居間や応接室や食堂のような広い室内でも天井全域を収納スペースにして天井収納力を高めるのもよいし、室の周辺だけ、つまり、天井の一部だけを収納スペースにし、天井収納力を抑えて居室天井を広くするようにすることもある。
【００２１】
次に、本願天井収納具１の使用方法について説明する。まず、居室２の天井のコーナーに、角筒４を設置し、その角筒４内を仕切り板５により仕切られた各室Ａ、Ｂに収納した函体６の下面は、居室の天井に対して第２の天井となる。しかして、ハンドル２０を手指を掛けて下向きに引くと、ラッチ１１が解除されて函体６が下降する。この最大下降位置は吊具７により維持されるので安心である。
【００２２】
次いで、函体６の最大下降位置に至ると、函体の前面側が開放されているので、物が入れられる。しかして、前記角筒４内は前述の如く仕切り板５を介して２室以上になっているので、函体６の１つひとつには多くの物を収納しなくて済む。換言すれば、函体６は小さく軽いものでよく、物も分散収納できる。
【００２３】
次に、函体６へ物を入れた後、該函体６の下面板を上向きに押す。函体６の上昇により吊具７は、バネ１０の作用により回される中空軸９に巻き取られる。しかして、函体６が各室Ａ、Ｂに完全に収納されると、前記ラッチ体１１ａが嵌合穴１１ｂに嵌入して収納状態が維持され、函体６の下面がそのまま天井となる。
【産業上の利用可能性】
【００２４】
本願天井収納具は、家を立てるときの大工が、或いはマンションの内装を担当する工務店の社員がそれぞれ設置できるほか、天井収納具キットとして販売し、これを買った需要者が組み立てることにより設置することも可能であり、専門家も個人も広く利用することが可能なものである。
【図面の簡単な説明】
【００２５】
【図１】本願天井収納具の取付状態を示す斜視図である。
【図２】２つの室のうち、一方の函体を下げ、他方の函体の収納状態を示す拡大断面図である。
【図３】吊具の取付状態の略示的拡大断面図である。
【図４】ラッチ及びその解除ハンドルを示す函体の部分断面図である。
【図５】函体の下面から見た一部切欠底面図である。
【図６】ラッチの解除ハンドルを示す側面断面図である。
【図７】室の側壁設置の雌レールと函体の側壁設置の雄レールとを示す側面断面図である。
【図８】雌雄レールの係合状態を示す部分正面図である。
【符号の説明】
【００２６】
１  本願天井収納具
２  居室
３  天井
４  角筒
４ａ  側壁
４ａ′  内側エッジ
５  仕切り板
６  函体
６ａ、６ａ  左右の側壁
６ｂ  上面板
６ｃ  下面板
７  吊具
８  横軸
９  中空軸
１０  バネ
１１  ラッチ手段
１１ａ  ラッチ体
１１ｂ  嵌入穴
１２  凹溝
１３  バネ
１４  凹溝
１４′  ストッパー
１５  連通孔
１６  ワイヤー
１７  ピン
１８  ハンドル
１９  隙間
２０  雌レール
２０′  下端部
２１  雄レール
【図１】
2012135391.tif 000003
【図２】
2012135391.tif 000004
【図３】
2012135391.tif 000005
【図４】
2012135391.tif 000006
【図５】
2012135391.tif 000007
【図６】
2012135391.tif 000008
【図７】
2012135391.tif 000009
【図８】
2012135391.tif 000010